(57)【要約】      （修正有）【課題】バッグやサンダルのような身支度品の表面シートに固定される装飾用ボタンを提供する。【解決手段】ボタンは、平らな第１表面と湾曲した第２表面を有する底板３０と、底板３０からほぼ垂直に延在するステム２０と、第１表面と第２表面を有し、この第１表面が複数の受け入れ溝を有し、第２表面がステム２０のための挿入部を有する。上板１０と、上板の第２表面の挿入部にステム２０を連結するように形成されたコネクタ４０とを具備している。ボタンはシートに設けられた穴とシートの両側に配置された上面および底面とを通るステムによって固定されるように形成されている。底板３０の第２表面は、底板３０の第１表面に対して平行な方向への移動に対して小さな抵抗を生じることができる。【選択図】図７
2008284355.tif 000002
【特許請求の範囲】
【請求項１】
ほぼ平らな第１表面と湾曲した第２表面を有する底板と、
底板の第１表面からほぼ垂直に延在するステムと、
第１表面と第２表面を有し、この第１表面が複数の受け入れ溝を有し、第２表面がステムのための挿入部を有する、上板と、
上板の第２表面の挿入部にステムを連結するように形成されたコネクタと、を具備し、
ボタンが表面シートに設けられた穴とシートの両側に配置された上面および底面とに挿通されたステムによって固定されるように形成され、固定されたボタンが予め定めた大きさよりも大きな力を用いて、シートから引き抜くことができるように形成されている、身支度品の表面シートを装飾するためのボタン。
【請求項２】
ステムが底板に一体化されていることを特徴とする請求項１記載のボタン。
【請求項３】
コネクタが接着剤であることを特徴とする請求項１記載のボタン。
【請求項４】
シートが弾性であることを特徴とする請求項１記載のボタン。
【請求項５】
ステムが多角形であることを特徴とする請求項１記載のボタン。
【請求項６】
底板の第２表面が底板の第１表面に対して平行な方向へのボタンの移動に対して小さな抵抗を生じるように形成されていることを特徴とする請求項１記載のボタン。
【請求項７】
湾曲した第２表面が球の外側表面の少なくとも一部であることを特徴とする請求項１記載のボタン。
【請求項８】
複数の受け入れ溝の各々が装飾片を受け入れるように形成されていることを特徴とする請求項１記載のボタン。
【請求項９】
装飾片が接着剤を用いて対応する受け入れ溝に固定されていることを特徴とする請求項１記載のボタン。
【請求項１０】
上板と底板がその間においてステムの周りに隙間を形成し、この隙間がシートの厚さによって決定されていることを特徴とする請求項１記載のボタン。
【請求項１１】
複数の受け入れ溝がパターンを形成し、このパターンが花、宝石、宝石用原石および幾何学的なパターンであることを特徴とする請求項１記載のボタン。
【請求項１２】
底板が上板よりも直径が小さいことを特徴とする請求項１記載のボタン。
【請求項１３】
上板、コネクタ、ステムおよび底板が一体化されていることを特徴とする請求項１記載のボタン。
【請求項１４】
複数の穴と、このシートをベース面に固定するための複数の固定装置とを有する弾性ベースシートと、
ほぼ平らな第１表面と湾曲した第２表面を有する底板と、
底板の第１表面からほぼ垂直に延在するステムと、
第１表面と第２表面を有し、この第１表面が複数の受け入れ溝を有し、第２表面がステムのための挿入部を有する、上板と、
上板の第２表面の挿入部にステムを連結するように形成されたコネクタと、を具備し、
上板、コネクタ、ステムおよび底板がボタンを形成し、ボタンが弾性ベースシートに設けられた複数の穴の１つと、弾性ベースシートの両側に配置された上面および底面とに挿通されたステムによって固定されるように形成され、固定されたボタンが予め定めた大きさよりも大きな力を用いて、弾性ベースシートから引き抜くことができるように形成されている、ベース面を装飾するためのボタン装飾セット。
【請求項１５】
ベース面が靴、スリッパ、サンダルおよびバッグの表面であることを特徴とする請求項１４記載のボタン装飾セット。
【請求項１６】
弾性ベースシートがプラスチックまたは皮革で作られていることを特徴とする請求項１４記載のボタン装飾セット。
【発明の詳細な説明】
【技術分野】
【０００１】
本発明は、バッグやサンダルのような身支度品の表面シートに固定される装飾用ボタンに関する。
【背景技術】
【０００２】
たくさんの表面が存在する。我々が住んでいる世界はもちろん三次元であるが、世界は二次元のもので満ちているように思われる。二次元は薄い紙の両側に存在するだけでなく、三次元の上部にも存在する。かさばる気球は三次元物体である。バルーンは幅、高さおよび奥行きを有する。バルーンは内側に空気を封じ込めている。この封じ込めはプラスチックフィルムのシートによって行うことはできない。しかしながら、バルーンは大気と呼ばれる他の三次元物体と接触している。そして、バルーンと大気の間の境界は薄いゴム層である。この薄いゴム層は、内側に空気が入っていても、二次元物体である。
【０００３】
従って、三次元物体の表面、すなわち三次元物体の二次元境界と交叉しなければ、三次元物体に到達できない。これは視力についても真実である。二次元表面からの光は、三次元物体からの光よりも前に目に達する。ときどき、恐らくいつでも、透明な表面を除いて、三次元物体の内側は二次元表面によって見ることが全く阻止されている。これは、ほとんどすべての種類の装飾が表面に関係している理由である。
【０００４】
さらに、技術的観点から、平らで無地の表面を形成し、そして表面に一体化された複雑な装飾パターンで表面を形成しないで、幾つかのアタッチメントで表面を装飾することは容易である。これは特に、表面またはシートが湾曲しているかまたは単純ではないときに該当する。従って、装飾される広い範囲の表面を考慮した、シートまたは表面の長時間の装飾のためのボタンが必要であった。
【発明の開示】
【０００５】
本発明は、救急サービスにおける必要性および問題を解決せんとするものである。本発明の目的は装飾のためにシートに固定されるボタンを提供することである。本発明の他の目的は容易に製作可能なボタンを提供することである。本発明の他の目的は装飾片のための複数の受け入れ溝を有するボタンを提供することである。
【０００６】
これらの目的または他の目的を達成するために、本発明は、ほぼ平らな第１表面と湾曲した第２表面を有する底板と、底板の第１表面からほぼ垂直に延在するステムと、第１表面と第２表面を有し、この第１表面が複数の受け入れ溝を有し、第２表面がステムのための挿入部を有する、上板と、上板の第２表面の挿入部にステムを連結するように形成されたコネクタとを具備し、ボタンがシートに設けられた穴とシートの両側に配置された上面および底面とを通るステムによって固定されるように形成され、固定されたボタンが予め定めた大きさよりも大きな力を用いて、シートから引き抜くことができるように形成されている、ボタンを提供する。
【０００７】
本発明の他の実施の形態では、ベース面を装飾するためのボタン装飾セットが、複数の穴と、このシートをベース面に固定するための複数の固定装置とを有するベースシートと、ほぼ平らな第１表面と湾曲した第２表面を有する底板と、底板の第１表面からほぼ垂直に延在するステムと、第１表面と第２表面を有し、この第１表面が複数の受け入れ溝を有し、第２表面がステムのための挿入部を有する、上板と、上板の第２表面の挿入部にステムを連結するように形成されたコネクタとを具備し、上板、コネクタ、ステムおよび底板がボタンを形成し、ボタンがベースシートに設けられた複数の穴の１つと、ベースシートの両側に配置された上面および底面とに挿通されたステムによって固定されるように形成され、固定されたボタンが予め定めた大きさよりも大きな力を用いて、弾性ベースシートから引き抜くことができるように形成されている。
【０００８】
ベース面は靴、スリッパ、サンダルおよびバッグの表面でもよい。ベースシートはプラスチックまたは皮革で作ることができる。ボタンは一体化した１つの部品でもよい。
【０００９】
ボタンは次の利点を有する。（１）ボタンは容易に製作可能で、取付け可能でそして使用可能である簡単な構造を有する。（２）ボタンは装飾片を受け入れるための複数の受け入れ溝を有する。（３）ボタンは繊維、プラスチックおよび金属を含むシート材料の全範囲に装飾を施すことができる。
【００１０】
本発明を簡単に要約したが、次の図面、詳細な説明および添付の特許請求の範囲によって、本発明を完全に理解することができる。
【００１１】
（図面の簡単な説明）
図１は本発明による上板の平面図である。
図２は図１の上板の背面図である。
図３はＩＩＩ−ＩＩＩ線に沿った図１の上板の断面図である。
図４は本発明による底板の平面図である。
図５は図４の底板の側面図である。
図６はステムを固定した図５の底板の側面図である。
図７は図１と図６の上板と底板とステムを有するボタンの側面図である。
図８は受け入れ溝に取付けられた装飾片を備えたボタンの側面図である。
図９はシート上に配置された図８のボタンの側面図である。
図１０は本発明の他の実施の形態によるボタン装飾セットの側面図である。
【発明を実施するための最良の形態】
【００１２】
図１は本発明による上板の平面図である。図２は図１の上板の背面図である。図３はＩＩＩ−ＩＩＩ線に沿った図１の上板の断面図である。図４は本発明による底板の平面図である。図５は図４の底板の側面図である。図６はコネクタによってステムを固定した図５の底板の側面図である。
【００１３】
バッグやサンダルのような身支度品の表面シートを装飾するためのボタン１００は、ほぼ平らな第１表面３２と湾曲した第２表面３４を有する底板３０と、底板３０の第１表面３２からほぼ垂直に延在するステム２０と、第１表面１２と第２表面１４を有し、この第１表面１２が複数の受け入れ溝１６を有し、第２表面１４がステム２０のための挿入部１８を有する、上板１０と、上板１０の第２表面１４の挿入部１８にステム２０を連結するように形成されたコネクタ４０とを具備する。ボタン１００はシート９２に設けられた穴９４とシート９２の両側９５，９６に配置された上板１０および底板３０とを通るステム２０によって固定されるように形成されている。固定されたボタン１００は予め定めた大きさよりも大きな力を用いて、シート９２から引き抜くことができるように形成されている。
【００１４】
ステム２０は図６に示すように、底板３０と一体化することができる。コネクタ４０は接着剤であってもよいし、また接触剤の使用によって得られる。シートは、予め定めた大きさよりも大きな力によってボタン１００を引っ張るときに容易に引き抜き可能であるような弾力性を有することができる。
【００１５】
図７は図１と図６の上板と底板とステムを有するボタンの側面図である。図８は受け入れ溝に取付けられた装飾片を備えたボタンの側面図である。図９はシート上に配置された図８のボタンの側面図である。
【００１６】
底板３０の第２表面３４は、底板３０の第１表面３２に対して平行な方向への移動に対してほぼ小さな抵抗を生じるように形成可能である。湾曲した表面３４は球の外側表面の少なくとも一部からなっていてもよい。複数の受け入れ溝１６はそれぞれ、図８に示すように装飾片９０を受け入れるように形成可能である。装飾片９０は接着剤を用いて対応する受け入れ溝１６に固定可能である。
【００１７】
上板１０と底板３０は、ステム２０の周りにおいて、上板１０の第２表面１４と底板３０の平らな表面３２との間に隙間５０を形成している。この隙間５０は図９に示すように、シート９２の厚さによって決めることができる。複数の受け入れ溝１６はパターンを形成してもよい。このバターンは花、宝石、宝石用原石および幾何学的なパターンからなっていてもよい。
【００１８】
一体化されたステム２０と底板３０をシート９２の穴９４に挿入した後で、上板１０はコネクタ４０を介してステム２０に固定可能である。窒息の危険を防止するために、コネクタ４０は破断可能であり、上板１０と底板３０は予め定めた大きさよりも大きな力を加えて容易に分離可能である。
【００１９】
上板１０と底板３０とステム２０はプラスチックで作ることができる。そして、装飾片９０はラインストーンで作ることができる。代替的に、ステム２０は、着用してシート９２に接触しているときに安定性を確保するために、五角形、六角形および八角形を含む多角形に形成可能である。
【００２０】
本発明によるボタン１００は幾つかの装飾片を有する普通のボタンのように見える。ボタン１００の底板３０は直径を上板１０よりも小さくすることができる。ボタン１００はバッグ、スリッパおよびサンダルに取付けることができる。底板３０の湾曲した表面３４が滑らかに湾曲しているので、例えばサンダル内で皮膚を擦りむくことがない。上板１０、コネクタ４０、ステム２０および底板３０は一体に形成可能である。
【００２１】
図１０に示す本発明の他の実施の形態では、ベース面９９を装飾するためのボタン装飾セット２００が設けられている。このボタン装飾セット２００は、複数の穴９４とシート９２をベース面９９に固定するための複数の固定装置９７とを有する弾性ベースシート９２と、ほぼ平らな第１表面３２と湾曲した第２表面３４とを有する底板３０と、底板３０の第１表面３２からほぼ垂直に延在するステム２０と、第１表面１２と第２表面１４を有し、この第１表面１２が複数の受け入れ溝１６を有し、第２表面１４がステム２０のための挿入部１８を有する、上板１０と、上板１０の第２表面１２の挿入部１８にステム２０を連結するように形成されたコネクタ４０とを具備する。この上板１０とコネクタ４０とステム２０と底板３０はボタン１００を形成している。ボタン１００は弾性ベースシート９２に設けられた複数の穴９４の１つと弾性ベースシート９２の両側９５，９６に配置された上板１０および底板３０とに挿通するステム２０によって固定されるように形成されている。固定されたボタン１００は予め定めた大きさよりも大きな力を用いて、弾性ベースシート９２から引き抜くことができるように形成されている。
【００２２】
ベース面９９は靴、スリッパ、サンダルおよびバッグの表面からなっている。弾性ベースシート９２はプラスチックまたは皮革で作られている。ボタン１００は一体化したものであってもよい。
【００２３】
他の実施の形態では、シート９２が弾性でないときにもボタン１００をシート９２の穴９４から引き抜くことができるように、ボタン１００の少なくとも上板１０と底板３０とステム２０が可撓性であってもよい。
【００２４】
異なる複数の実施の形態を参照して本発明を図示および説明したが、添付の特許請求の範囲によって定めた本発明の範囲および精神から逸脱することなく、形状、詳細、構成および作用の変形が当業者によって可能であることが理解されるであろう。
【図面の簡単な説明】
【００２５】
【図１】本発明による上板の平面図である。
【図２】図１の上板の背面図である。
【図３】ＩＩＩ−ＩＩＩ線に沿った図１の上板の断面図である。
【図４】本発明による底板の平面図である。
【図５】図４の底板の側面図である。
【図６】ステムを固定した図５の底板の側面図である。
【図７】図１と図６の上板と底板とステムを有するボタンの側面図である。
【図８】受け入れ溝に取付けられた装飾片を備えたボタンの側面図である。
【図９】シート上に配置された図８のボタンの側面図である。
【図１０】本発明の他の実施の形態によるボタン装飾セットの側面図である。
【符号の説明】
【００２６】
１０…上板、１２…第１表面、１４…第２表面、１６…受け入れ溝、１８…挿入部、２０…ステム、３０…底板、３２…第１表面、３４…第２表面、４０…コネクタ、９２…シート、９４…穴、１００…ボタン
【図１】
2008284355.tif 000003
【図２】
2008284355.tif 000004
【図３】
2008284355.tif 000005
【図４】
2008284355.tif 000006
【図５】
2008284355.tif 000007
【図６】
2008284355.tif 000008
【図７】
2008284355.tif 000009
【図８】
2008284355.tif 000010
【図９】
2008284355.tif 000011
【図１０】
2008284355.tif 000012